(57)【要約】【課題】充分な通気性を確保しつつ、高い防水性能及び排水性能を得ることができるばかりでなく、下方から巻き上がる雨水や雪に対する確実な防水及び防雪性能を得ることができる防水及び防雪型換気ルーバを提供する。【解決手段】縦羽根板７を、枠体２の幅方向（内外方向）断面が略く字型をなし、当該縦羽根板７の屈折点７ａを境界にして、互いに湾曲方向の異なる第１の弧状面８及び第２の弧状面９が連続するように形成する。また、浸入した雨水を排出するための開口部１８ａを底部に設け、その開口部１８ａの下方に、防水及び防雪型換気ルーバ１の内部から外部に向かって下方に傾斜した排水傾斜面１９を形成する。また、横羽根板３の下端からルーバ１の下端部前面を覆うスカート部２０を取り付け、排水傾斜面１９との間に排水口２１を形成する。【選択図】    図３
2009084962.tif 000002
【特許請求の範囲】
【請求項１】
建物の開口部に設けられ、複数の羽根板を格子状に並設し、これら羽根板同士の間隙でもって通気可能に設けられると共に、該羽根板によって防水を行う防水及び防雪型換気ルーバにおいて、当該ルーバの下端部前面とルーバ底部に連通する排水用傾斜面を覆うスカート部を設けたことを特徴とする防水及び防雪型換気ルーバ。
【請求項２】
建物の開口部に設けられ、複数の羽根板を格子状に並設し、これら羽根板同士の間隙でもって通気可能に設けられると共に、該羽根板によって防水を行う防水及び防雪型換気ルーバにおいて、当該ルーバの前面に網体を設けたことを特徴とする請求項１記載の防水及び防雪型換気ルーバ。
【発明の詳細な説明】
【技術分野】
【０００１】
本発明は、建物の開口部等に取り付けて通気を良好にし、且つ雨水の侵入を防ぐために使用される換気ルーバ、通称ガラリと呼ばれる建具に関し、とくにその防水、防雪及び水抜き構造に関するものである。
【背景技術】
【０００２】
従来、工場、発電所、体育館、倉庫、ビル、家屋等の建物の排気口などの開口部に、換気を目的として取付けられる換気ルーバは、基本的には複数の羽根板を所定の枠体に横方向あるいは縦方向に格子状に並べた構成とされている。
【０００３】
ところで、従来の換気ルーバは、羽根板を横方向に並べたタイプのものが主流であった。もちろん、この従来型の換気ルーバも羽根板を下向きに傾斜させて配置して日光や雨を防ぐようにしてあるが、強風雨時の横なぐりの雨等に対しては、かなりの雨水が建物内に侵入してしまうという欠点があった。このため、室内に水受けを取り付けたり、外部に別途フードを取り付けたりする必要があった。そこで、充分な通気性を確保し、尚且つ強風雨時の雨水の侵入を防止するために、羽根板を縦に配した縦ガラリ、あるいは横羽根板と縦羽根板とを交互に組み合わせた復層ガラリ等といった換気ルーバが開発されている。その中でも、特許文献１あるいは特許文献２及び特許文献３所載のもののように、羽根板の幅方向の断面を略く字型やＳ字状に構成し、通気性及び風雨に対する遮蔽効果の向上を目指した換気ルーバが提案されている。
【０００４】
そして、本出願人は、上記従来のような換気ルーバの更なる性能向上のために鋭意研究を重ね、建物の開口部に設けられ、複数の羽根板を格子状に並設し、これら羽根板同士の間隙でもって通気可能に設けられると共に、該羽根板によって防水を行う防水及び防雪型換気ルーバにおいて、羽根板の幅方向断面形状を略く字型とすると共に、該羽根板の屈折点を境界にして互いに湾曲方向の異なる弧状面を設けたことを特徴とする防水及び防雪型換気ルーバを提案している（特許文献４参照。）。
【０００５】
一方、換気ルーバ内で捕捉された雨水の排水を考慮して、ルーバ下部に水抜き部を設けることが好ましく、特許文献５をもって排水性能の良好な換気ルーバを提案している。
【０００６】
【特許文献１】特開平５−０４４３１４号公報
【特許文献２】特開平１１−０６２４１９号公報
【特許文献３】特開平１１−１６６３７６号公報
【特許文献４】特開２００２−２７６２５６号公報
【特許文献５】特開２００５−１９４７１５号公報
【発明の開示】
【発明が解決しようとする課題】
【０００７】
しかしながら、ルーバ下部に水抜き部を設けることで、下方から巻き上がる雨水や雪に対する確実な防水が必要になる。そこで、本発は換気ルーバの更なる性能向上のために鋭意研究を重ね本発明をするに到った。本発明は、充分な通気性を確保しつつ、高い防水性能及び排水性能を得ることができるばかりでなく、下方から巻き上がる雨水や雪に対する確実な防水及び防雪性能を得ることができる防水型及び防雪型換気ルーバを提供することを目的とするものである。
【課題を解決するための手段】
【０００８】
このため本発明は、建物の開口部に設けられ、複数の羽根板を格子状に並設し、これら羽根板同士の間隙でもって通気可能に設けられると共に、該羽根板によって防水を行う防水及び防雪型換気ルーバにおいて、当該ルーバの下端部前面とルーバ底部に連通する排水用傾斜面を覆うスカート部を設けたことを第１の特徴とする。
また、建物の開口部に設けられ、複数の羽根板を格子状に並設し、これら羽根板同士の間隙でもって通気可能に設けられると共に、該羽根板によって防水を行う防水及び防雪型換気ルーバにおいて、当該ルーバの前面に網対を設けたことを第２の特徴とする。
【発明の効果】
【０００９】
本発明に係る防水及び防雪型換気ルーバにおいては、外気は各羽根板間の空隙を流通するが、外気の流れは横羽根板によってルーバ内部下方に向けられるため、ルーバ内部に附着した水滴の吹き上りは解消される。また、縦羽根板の表面あるいは前面に設けられたネットにルーバ内部に取り込まれた雨水や雪が捕捉され、この捕捉された雨水や雪等が水滴となってルーバ内下方に流れ落ちると、ルーバ内の底部に形成された排水孔から排水用傾斜面を通って排出される。また、ルーバの下端部前面を覆うスカート部により、下方から巻き上がる雨水や雪に対する確実な防水及び防雪性能を得ることができる。
【発明を実施するための最良の形態】
【００１０】
以下、本発明の実施の形態を図面に示す実施例に基づいて説明する。図１は本発明に係る防水及び防雪型換気ルーバの一実施例を示す正面図、図２は図１の平面断面図、図３は図１の縦断面図、図４は羽根板の要部拡大斜視図、図５は羽根板の要部拡大平面断面図、図６はルーバ下部の要部縦断面図、図７は本発明に係る防水及び防雪型換気ルーバの他の実施例を示す正面図、図８は図７の平面断面図、図９は図７の縦断面図である。
【実施例１】
【００１１】
図１乃至図３において、１は防水及び防雪型換気ルーバで、アルミサッシ製の矩形状枠体２に複数の横羽根板３、３…が一体的に連設された外側面４と、内側面５とを備えており、この内側面５が室内に臨む状態で、枠体２の上下端、左右端に形成された取り付け部４０が建物の開口部に設置された取り付け具４０ａに取り付けられる構成とされている。
【００１２】
横羽根板３、３…はアルミ製の板材からなり、上下両端に防水及び防雪型換気ルーバ１の内部側に向く折り返し片を有する平板の内側略中央部からビス孔１７を介して、内部下方に向かって下方に湾曲した傾斜面３ａが形成され、この傾斜面３ａの下端には平板が垂設され、略逆く字形状をなしている。本実施例では、この傾斜面３ａは下方に湾曲した形状に形成されているが、上方に湾曲した形状であっても、また、直線的な傾斜面であっても、内部下方に向かって傾斜していればよい。好ましくは、取り込まれた雨水を含む外気の流れを最良にするために、本実施例のように下方に湾曲した形状で、内部下方に向かって傾斜して形成される。また、横羽根板３、３…は、上下方向に一定間隔置きに配設されるので、同様に上下方向に一定間隔置きに横長孔状の複数の換気孔６、６…が形成される。また、横羽根板３の幅方向（図３の垂直方向）の両端部にはそれぞれビス孔１７が設けられ、このビス孔１７を介して横羽根板３が枠体２にビス５０で固定される。
【００１３】
図中、７、７…は縦羽根板である。この縦羽根板７は、枠体２の幅方向（内外方向）断面が略く字型をなし、当該縦羽根板７の屈折点７ａを境界にして互いに湾曲方向の異なる第１の弧状面８及び第２の弧状面９が連続して形成されている。また、その屈折点７ａの外側に第１の弧状面８から延出して、複数の折り返し片１３を有し、断面が逆Ｌ字型をした中間溝部材１０が一体形成され、更に第２の弧状面９の下端縁には、複数の折り返し片１４を有し、断面が逆Ｌ型をした下縁溝部材１１が一体成形されている。すなわち、第１及び第２の弧状面８及び９、中間溝部材１０、下縁溝部材１１からなる断面形状が連続した型材によって縦羽根板７が構成されている。さらに、第２の弧状面９の凹部側の表面には、鉛直方向に形成された突条１９が弧状面に沿って連続配設されている。そして、これら縦羽根７、７…同士の間隙１２（通気路）でもって屋外から屋内に外気を流通させるものとされている。
【００１４】
すなわち、上記のように構成される縦羽根板７、７…を互いに平行に並べ、矩形状枠体２内に固定する。その際、各縦羽根板７、７…は、隣接するもの同士の間において、一方の中間溝部材１０を他方の下縁溝部材１１と重なり合うように位置させ、且つ、一方の縦羽根板７の内側面と他方の縦羽根板７の外側面との間に断面が略く字状をした間隙（通気路）１２が形成されるように並設する。
【００１５】
また、防水及び防雪型換気ルーバ１の内側底部には、開口部１８ａを有する底板１８がビス５０により取り付けられ、その開口部１８ａのさらに下方には、防水及び防雪型換気ルーバ１の内部から前面外部に向かって下方に傾斜した排水傾斜面１９が形成されている。また、横羽根板３の下端からルーバ１の下端部前面を覆うスカート部２０を取り付け、排水傾斜面１９との間に排水口２１を形成する。
【００１６】
図４及び図５は、縦羽根板７の特徴部分を示す幅方向の要部拡大斜視図及び要部拡大平面断面図である。縦羽根板７は、上述したように、図中符号７ａとして示す一箇所を屈折点として、その上下両側部分が断面湾曲状あるいは断面円弧状に構成された第１の弧状面８及び第２の弧状面９が設けられており、その屈折点７ａの外側に第１の弧状面８から延出して断面が逆Ｌ字型をした中間溝部材１０が一体形成され、更に第２の弧状面９の下端縁には断面がＬ字型の下縁溝部材１１が内向に一体成形される。各弧状面８及び９の端部にはさらにそれぞれ折返片１３あるいは１４を設けても良く、これらはそれぞれ中間溝部材１０、下縁溝部材１１と共に一体的に形成される。また、第２の弧状面９の凹部側の表面には、鉛直方向に形成された突条２０が弧状面に沿って連続配設されており、断面視波状の粗面９ａが形成されている。また、縦羽根板７の幅方向の両端部にはそれぞれビス孔１５、１６が設けられ、これらビス孔１５、１６を介して縦羽根板７が枠体２に固定される。各縦羽根板７、７…は、その幅方向のほぼ中心において断面略く字状で且つ外側に向かって膨出した円弧状に形成されているので、縦羽根板７間を流通する空気に遠心力を付与し、流通空気の抵抗を大幅に削減することができる。さらに、この流通空気が第２の弧状面９に衝突すると、流通空気に含まれる雨水や雪等の水分を捕捉することができる。
【００１７】
本発明では複数の羽根板７を縦方向に配置するが、その羽根板７が幅方向に断面略く字状で且つ、２つの弧状面８及び９を設けているので、屋外からの風雨や雪が各弧状面に倣って円滑に流動して充分な換気を行なうことができる。また、これら弧状面８及び９の背部及び端部に、中間溝部材１０及び下縁溝部材１１により上下方向に溝が形成され、さらに、弧状面９の表面に粗面が形成されており、これらの溝や粗面によって屋外から屋内への風雨や雪の侵入を防止し、水滴を捕捉して集積して流下させることができる。
【００１８】
詳しくは、外気は空隙１２内を自由に通過し、上空から自然に降る雨水や雪は、そのほとんどが中間溝部材１０に受け止められる。一方、風と共に吹き込まれる雨水や雪は、先ず、第１の弧状面８の膨出部分に衝突してほとんどが折り返し片１３を有する中間溝部材１０内に受けられるが、ここで反射した水しぶきや、風と共に中間溝部材１０上を通過した雨水も第１の弧状面８及び隣接する第２の弧状面９に倣って風向が曲げられる際に、遠心力によって、まず、第２の弧状面９に衝突して水分が捕捉されて流下し、次に、第２の弧状面９で捕捉しきれなかった残りの水分は、折り返し片１４を有する下縁溝部材１１に受け止められ流下するので、屋外から屋内への雨水の侵入は確実に防止される。
【００１９】
また、図６に示すように、本発明に係る防水及び防雪型換気ルーバ１では、雨水を含んだ外気の取り入れ口近傍に設けられた横羽根板３が、防水及び防雪型換気ルーバ１の内部下方に向かって下方に湾曲した傾斜面３ａを有する略逆く字型に配されている。そして、上下方向に一定間隔置きに横長孔状の複数の換気孔６、６…が設けられている。このため、外部から風と共に吹き込まれる雨水は、横羽根板３の傾斜面３ａに沿って内側下方に向けて換気孔６を通過していく。このため、防水及び防雪型換気ルーバ１内部での水の吹き上がりを防止することができる。
【００２０】
さらに、内部に溜まった雨水等は、下方に流れ落ち、底部に設けられた底板１８の開口部１８ａを通過し、開口部１８ａ下方に設けられた排水傾斜面１９に沿って流れ、排水口２１より外部に排水される。この排水傾斜面１９の上方で且つ、横羽根板３の下端には前方に延出してスカート部２０が設けられており、雨水が内部に吹き込まないようにされている。このように、ルーバ１の下端部前面を覆うスカート部２０により、下方から巻き上がる雨水や雪に対する確実な防水及び防雪性能を得ることができる。
【実施例２】
【００２１】
図７乃至図９において、１は防水及び防雪型換気ルーバで、アルミサッシ製の矩形状枠体２に複数の横羽根板３、３…が一体的に連設された外側面４と、内側面５とを備えており、この内側面５が室内に臨む状態で、枠体２の上下端、左右端に形成された取り付け部４０が建物の開口部に設置された取り付け具４０ａに取り付けられる構成とされている。尚、便宜上、実施例１と同様の構成要素には同一の符号を付して説明する。
【００２２】
本実施例で特筆すべきことは、矩形状枠体２の全面に渡って、横羽根板３、３…と縦羽根板７、７…との間に網体（ネット）２２を介在させたことにある。ネット２２の網目度は６０メッシュ程度で、雪は捕捉するが、スムーズに通気できる網目サイズを用いるのが好ましい。このように、ルーバ１の前面を覆う網体２２により、より確実な防雪性能を得ることができる。
【図面の簡単な説明】
【００２３】
【図１】本発明に係る防水及び防雪型換気ルーバの正面図である。
【図２】図１の平面断面図である。
【図３】図１の縦断面図である。
【図４】羽根板の要部拡大斜視図である。
【図５】羽根板の要部拡大平面断面図である。
【図６】ルーバ下部の要部縦断面図である。
【図７】本発明に係る防水及び防雪型換気ルーバの他の実施例を示す正面図である。
【図８】図７の平面断面図である。
【図９】図７の縦断面図である。
【符号の説明】
【００２４】
１          防水及び防雪型換気ルーバ
２          枠体
３          横羽根板
３ａ        傾斜面
４          外側面
５          内側面
６          換気孔
７          縦羽根板
７ａ        屈折点
８          第１の弧状面
９          第２の弧状面
１０        中間溝部材
１１        下縁溝部材
１２        間隙
１３        折返片
１４        折返片
１５        ビス孔
１６        ビス孔
１７        ビス孔
１８        底板
１８ａ      開口部
１９        排水傾斜面
２０        スカート部
２１        排水口
２２        網体（ネット）
４０        取り付け部
４０ａ      取り付け具
５０        ビス
【図１】
2009084962.tif 000003
【図２】
2009084962.tif 000004
【図３】
2009084962.tif 000005
【図４】
2009084962.tif 000006
【図５】
2009084962.tif 000007
【図６】
2009084962.tif 000008
【図７】
2009084962.tif 000009
【図８】
2009084962.tif 000010
【図９】
2009084962.tif 000011